【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  ネットワークを介して接続された帳票処理装置と複数のサーバとを有する帳票処理システムであって、
前記帳票処理装置は、
手書文字情報と帳票の種類を特定するための帳票識別子とが付された帳票の画像を読み取って、画像データを生成するための画像読取手段、
画像データに存在する帳票識別子を認識するための認識手段、
帳票識別子に基づいて特定されたサーバからレイアウト情報を受信するための受信手段、
レイアウト情報に基づいて、画像データに存在する手書文字情報を認識するための認識手段、および、
特定されたサーバに対して、手書文字情報をデータ項目として転送するための転送手段を有し、
前記サーバは、
帳票処理装置に対して、帳票識別子に対応するレイアウト情報を送信するための送信手段、および、
帳票処理装置から送信されるデータ項目を、帳票識別子に対応するデータベースに登録するための登録手段を有する
ことを特徴とする帳票処理システム。
【請求項２】  ネットワークを介して接続された帳票処理装置と複数の帳票サーバと複数のＤＢサーバとを有する帳票処理システムであって、
前記帳票処理装置は、
手書文字情報と帳票の種類を特定するための帳票識別子とが付された帳票の画像を読み取って、画像データを生成するための画像読取手段、
画像データに存在する帳票識別子を認識するための認識手段、
帳票識別子に基づいて特定された帳票サーバからレイアウト情報を受信するための受信手段、
レイアウト情報に基づいて、画像データに存在する手書文字情報を認識するための認識手段、および、
帳票識別子に基づいて特定されたＤＢサーバに対して、手書文字情報をデータ項目として転送するための転送手段を有し、
前記帳票サーバは、
帳票処理装置に対して、帳票識別子に対応するレイアウト情報を送信するための送信手段を有し、
前記ＤＢサーバは、帳票処理装置から送信されるデータ項目を、帳票識別子に対応するデータベースに登録するための登録手段を有する
ことを特徴とする帳票処理システム。
【請求項３】  ネットワークを介して接続された帳票処理装置と複数のサーバとを有し、かつ、
前記サーバは、帳票処理装置に対して、帳票の種類を特定するための帳票識別子に対応するレイアウト情報を送信するための送信手段、および、帳票処理装置から送信されるデータ項目を、帳票識別子に対応するデータベースに登録するための登録手段を有する
帳票処理システムにおける帳票処理装置であって、
手書文字情報と帳票識別子とが付された帳票の画像を読み取って、画像データを生成するための画像読取手段、
画像データに存在する帳票識別子を認識するための認識手段、
帳票識別子に基づいて特定されたサーバからレイアウト情報を受信するための受信手段、
レイアウト情報に基づいて、画像データに存在する手書文字情報を認識するための認識手段、および、
特定されたサーバに対して、手書文字情報をデータ項目として転送するための転送手段
を有することを特徴とする帳票処理装置。
【請求項４】  ネットワークを介して接続された帳票処理装置と複数の帳票サーバと複数のＤＢサーバとを有し、かつ、
前記帳票サーバは、帳票処理装置に対して、帳票の種類を特定するための帳票識別子に対応するレイアウト情報を送信するための送信手段を有し、
前記ＤＢサーバは、帳票処理装置から送信されるデータ項目を、帳票識別子に対応するデータベースに登録するための登録手段を有する
帳票処理システムにおける帳票処理装置であって、
手書文字情報と帳票識別子とが付された帳票の画像を読み取って、画像データを生成するための画像読取手段、
画像データに存在する帳票識別子を認識するための認識手段、
帳票識別子に基づいて特定された帳票サーバからレイアウト情報を受信するための受信手段、
レイアウト情報に基づいて、画像データに存在する手書文字情報を認識するための認識手段、および、
帳票識別子に基づいて特定されたＤＢサーバに対して、手書文字情報をデータ項目として転送するための転送手段
を有することを特徴とする帳票処理装置。
【請求項５】  帳票識別子が付された帳票を印刷するための印刷手段をさらに有することを特徴とする請求項３又は請求項４に記載の帳票処理装置。
【請求項６】  ネットワークを介して接続された帳票処理装置と複数のサーバとを有する帳票処理システムにおける帳票処理方法であって、
帳票処理装置が、手書文字情報と帳票の種類を特定するための帳票識別子とが付された帳票の画像を読み取って、画像データを生成するステップ、
帳票処理装置が、画像データに存在する帳票識別子を認識するステップ、
帳票識別子に基づいて特定されたサーバが、帳票処理装置に対して、帳票識別子に対応するレイアウト情報を送信するステップ、
帳票処理装置が、レイアウト情報を受信するステップ、
帳票処理装置が、レイアウト情報に基づいて、画像データに存在する手書文字情報を認識するステップ、
帳票処理装置が、特定されたサーバに対して、手書文字情報をデータ項目として転送するステップ、および、
サーバが、帳票処理装置から送信されるデータ項目を、帳票識別子に対応するデータベースに登録するステップ
を有することを特徴とする帳票処理システム。
【請求項７】  ネットワークを介して接続された帳票処理装置と複数の帳票サーバと複数のＤＢサーバとを有する帳票処理システムにおける帳票処理装置であって、
帳票処理装置が、手書文字情報と帳票の種類を特定するための帳票識別子とが付された帳票の画像を読み取って、画像データを生成するステップ、
帳票処理装置が、画像データに存在する帳票識別子を認識するステップ、
帳票識別子に基づいて特定された帳票サーバが、帳票処理装置に対して、帳票識別子に対応するレイアウト情報を送信するステップ、
帳票処理装置が、レイアウト情報を受信するステップ、
帳票処理装置が、レイアウト情報に基づいて、画像データに存在する手書文字情報を認識するステップ、
帳票処理装置が、帳票識別子に基づいて特定されたＤＢサーバに対して、手書文字情報をデータ項目として転送するステップ、および、
ＤＢサーバが、帳票処理装置から送信されるデータ項目を、帳票識別子に対応するデータベースに登録するステップ
を有することを特徴とする帳票処理方法。
【請求項８】  ネットワークを介して接続された帳票処理装置と複数のサーバとを有し、かつ、
前記サーバは、帳票処理装置に対して、帳票の種類を特定するための帳票識別子に対応するレイアウト情報を送信するための送信手段、および、帳票処理装置から送信されるデータ項目を、帳票識別子に対応するデータベースに登録するための登録手段を有する
帳票処理システムの帳票処理装置における帳票処理プログラムであって、
手書文字情報と帳票識別子とが付された帳票の画像を読み取って、画像データを生成する手順、
画像データに存在する帳票識別子を認識する手順、
帳票識別子に基づいて特定されたサーバからレイアウト情報を受信する手順、
レイアウト情報に基づいて、画像データに存在する手書文字情報を認識する手順、および、
特定されたサーバに対して、手書文字情報をデータ項目として転送する手順
を帳票処理装置に実行させることを特徴とする帳票処理プログラム。
【請求項９】  ネットワークを介して接続された帳票処理装置と複数の帳票サーバと複数のＤＢサーバとを有し、かつ、
前記帳票サーバは、帳票処理装置に対して、帳票の種類を特定するための帳票識別子に対応するレイアウト情報を送信するための送信手段を有し、
前記ＤＢサーバは、帳票処理装置から送信されるデータ項目を、帳票識別子に対応するデータベースに登録するための登録手段を有する
帳票処理システムの帳票処理装置における帳票処理プログラムであって、
手書文字情報と帳票識別子とが付された帳票の画像を読み取って、画像データを生成する手順、
画像データに存在する帳票識別子を認識する手順、
帳票識別子に基づいて特定されたサーバからレイアウト情報を受信する手順、
レイアウト情報に基づいて、画像データに存在する手書文字情報を認識する手順、および、
帳票識別子に基づいて特定されたＤＢサーバに対して、手書文字情報をデータ項目として転送する手順
を帳票処理装置に実行させることを特徴とする帳票処理プログラム。
【請求項１０】  請求項８又は請求項９に記載の帳票処理プログラムを記録したコンピュータ読み取り可能な記録媒体。
【請求項１1】 前記帳票処理装置は、サーバに対して接続要求を送信するための送信手段を有し、
前記サーバは、帳票処理装置から送信された接続要求が、認証条件を満たしているか否かを判断するための判断手段、および、認証条件を満たしていると判断する場合、レイアウト情報の送信を許可するための許可手段を有する
ことを特徴とする請求項１に記載の帳票処理システム。
【請求項１２】 前記接続要求は、帳票識別子を含んでいることを特徴とする請求項１１に記載の帳票処理システム。
【請求項１３】 前記判断手段は、接続要求に係る帳票識別子が、登録されている帳票識別子に含まれている場合、認証条件を満たしていると判断することを特徴とする請求項１２に記載の帳票処理システム。
【請求項１４】 前記帳票処理装置は、帳票サーバに対して、接続要求を送信するための送信手段を有し、
前記帳票サーバは、帳票処理装置から送信された接続要求が、認証条件を満たしているか否かを判断するための判断手段、認証条件を満たしていると判断する場合、ＤＢサーバに対して、接続要求を送信するための送信手段、および、ＤＢサーバからの接続許可を受信した場合、レイアウト情報の送信を許可するための許可手段を有し、
前記ＤＢサーバは、帳票サーバから送信された接続要求が、認証条件を満たしているか否かを判断するための判断手段、および、認証条件を満たしていると判断する場合、前記帳票サーバに対して、接続許可を送信するための送信手段を有することを特徴とする請求項２に記載の帳票処理システム。
【請求項１５】 帳票処理装置および帳票サーバから送信される前記接続要求は、帳票識別子を含んでいることを特徴とする請求項１４に記載の帳票処理システム。
【請求項１６】 帳票サーバおよびＤＢサーバの前記判断手段は、接続要求に係る帳票識別子が、登録されている帳票識別子に含まれている場合、認証条件を満たしていると判断することを特徴とする請求項１５に記載の帳票処理システム。
【請求項１７】 帳票処理装置から送信される前記接続要求は、帳票識別子を含んでおり、
帳票サーバから送信される前記接続要求は、帳票識別子に対応するデータベースを特定するための固有情報であるＤＢ識別子を含んでいる
ことを特徴とする請求項１４に記載の帳票処理システム。
【請求項１８】 帳票サーバの前記判断手段は、接続要求に係る帳票識別子が、登録されている帳票識別子に含まれている場合、認証条件を満たしていると判断し、
ＤＢサーバの前記判断手段は、接続要求に係るＤＢ識別子が、登録されているＤＢ識別子に含まれている場合、認証条件を満たしていると判断する
ことを特徴とする請求項１７に記載の帳票処理システム。